(57)【要約】【課題】  スパウトの回動範囲を規制しながら、意匠性・組み立て性・メンテナンス性の悪化しない水栓装置を提供する。【解決手段】  本発明では、被取り付け部に固定される台座部材と、台座部材に挿入されるスパウト部材と、を備えた水栓装置であって、前記台座部材が被取り付け部に設けられた貫通穴に挿入される取り付け管と、被取り付け部の上面に載置されるフランジ部と、を備え、前記スパウト部材は、その回転範囲を規制するための回転規制溝を有し、前記取り付け管を貫通して、前記回転規制溝に挿入される回転規制部材を有する。【選択図】  図６
2017193923.tif 000002
【特許請求の範囲】
【請求項１】
被取り付け部に固定される台座部材と、
台座部材に挿入されるスパウト部材と、を備えた水栓装置であって、
前記台座部材が被取り付け部に設けられた貫通穴に挿入される取り付け管と、被取り付け部の上面に載置されるフランジ部と、を備え、
前記スパウト部材は、その回転範囲を規制するための回転規制溝を有し、
前記取り付け管を貫通して、前記回転規制溝に挿入される回転規制部材を有すること特徴とする水栓装置。
【請求項２】
回転規制部材がスナップフィットで固定される請求項１に記載の水栓装置。
【請求項３】
前記スパウト部材が管材からなる請求項２に記載の水栓装置。
【請求項４】
前記取り付け管が外周にねじ部と、
前記ねじ部に対して羅合される固定部材と、を有し、
前記フランジ部と、前記固定部材とで被取り付け部をはさむことで固定し、
水栓装置を、被取り付け部に固定した状態で、回転規制部材の挿入箇所が被取り付け部の下端よりも下方に位置し、
前記回転規制部材が、その外周方向側に傾斜を有する請求項２または３の何れかに記載の水栓装置。
【請求項５】
回転規制部材を挿入した状態で、工具を差し入れる工具がかりを備える請求項２乃至４の何れかに記載の水栓装置。
【発明の詳細な説明】
【技術分野】
【０００１】
本発明は、水栓装置に係り、特にスパウトが回動する水栓装置に関する。
【背景技術】
【０００２】
従来から、吐水口を供えたスパウトを回動させることのできる水栓装置が知られている。この種の水栓装置においては、スパウトが無制限に回動できてしまうと、手洗い器のボウルやキッチンのシンクなどから大きく外れた位置まで回動してしまい、本来ならば濡れて欲しくない領域にむかって吐水を行ってしまったり、壁面に衝突してしまったりするという恐れがあった。
【０００３】
この問題を解決するために、従来からスパウト部材に回転規制溝を設けて、その回転規制溝に対してビスなどの回転規制部材を挿入することによって、回動範囲を規制する水栓装置が提案されている。（例えば、特許文献１）
しかしながら、特許文献１における水栓装置においては回転規制部材が外観に露呈してしまい、意匠性が悪化すると共に、外部から取り外すことができてしまうという課題が存在した。
【０００４】
上記の問題をうけて、特許文献２に記載の発明においては、回転規制溝に対して回転規制部材（ビス２１２）を挿入したあとに、水栓を組み立てることによって、回転規制部材を水栓内部に収納するように構成されている。このように構成することで、回転規制部材が外部に露出せず、取り外しもできなくなる。
しかしながら、特許文献２に記載の発明においては、メンテナンスなどの際には水栓を分解する必要が生じると共に、ビス挿入後に組み立てを行わねばならず、水栓の組み立て性も悪化するという課題が生じる。
【先行技術文献】
【特許文献】
【０００５】
【特許文献１】特開平８−２３９８７５
【特許文献２】特開２００９−１０８５２６
【発明の概要】
【発明が解決しようとする課題】
【０００６】
本発明は、上記問題を解決するためになされたもので、本発明の課題は、スパウトの回動範囲を規制しながら、意匠性・組み立て性・メンテナンス性の悪化しない水栓装置を提供することである。
【課題を解決するための手段】
【０００７】
上記目的を達成するための本発明によれば、被取り付け部に固定される台座部材と、台座部材に挿入されるスパウト部材と、を備えた水栓装置であって、前記台座部材が被取り付け部に設けられた貫通穴に挿入される取り付け管と、被取り付け部の上面に載置されるフランジ部と、を備え、前記スパウト部材は、その回転範囲を規制するための回転規制溝を有し、前記取り付け管を貫通して、前記回転規制溝に挿入される回転規制部材を有する。
このように構成することによって、回転規制部を、取り付け管に挿入する形で固定することが出来るため、回転規制部を被取り付け部などで隠蔽することが出来、不意に外れてしまうことを抑制できる。また、回転規制部が外部の露出することがないので、美観にも優れる。
【０００８】
本発明においては好ましくは更に、回転規制部材がスナップフィットで固定される。
このように構成することで、ワンタッチで回転規制部材を取り付けることが出来るようになる。また、回転規制部材が露出していないことで、スナップフィットの短所であるワンタッチで外れてしまうという課題も解決することが出来る。
【０００９】
本発明においては好ましくは更に、前記スパウト部材が管材からなる。
このように構成することで、スパウト部材を安価に構成することができるようになると共に、薄く形成することができるようになるので、スナップフィットを採用した場合でも回転規制部材の挿入が容易になるという効果が得られる。
【００１０】
本発明においては好ましくは更に、前記取り付け管が外周にねじ部と、前記ねじ部に対して羅合される固定部材と、を有し、前記フランジ部と、前記固定部材とで被取り付け部をはさむことで固定し、水栓装置を、被取り付け部に固定した状態で、回転規制部材の挿入箇所が被取り付け部の下端よりも下方に位置し、前記回転規制部材が、その外周方向側に傾斜を有する。
このように構成することで、回転規制部材の挿入が不十分であった場合でも、ねじ部に対して固定部材を羅合していくことによって、固定部材が回転規制部材の傾斜と接触して、回転規制部材を内周方向、つまり固定側に移動させるように力が働き、確実に固定することが出来るようになる。
【００１１】
本発明においては好ましくは更に、回転規制部材を挿入した状態で、工具を差し入れる工具がかりを備える。
このように構成することで、回転規制部材を、工具などを用いて簡単に取り外すことが出来るようになり、さらにメンテナンス性が向上する。
【発明の効果】
【００１２】
本発明によれば、スパウトの回動範囲を規制しながら、意匠性・組み立て性・メンテナンス性が悪化しないという効果がある。
【図面の簡単な説明】
【００１３】
【図１】本発明の水栓装置１の外観図である。
【図２】本発明の水栓装置１の正面図である。
【図３】図２におけるＡ−Ａ断面図である。
【図４】図３におけるＣ付近の詳細断面図である。
【図５】図３におけるＤ付近の詳細断面図である。
【図６】図３におけるＤ付近の詳細斜視図である。
【図７】本発明の台座部材２の斜視図、上面図である。
【発明を実施するための形態】
【００１４】
以下、本発明における実施例について、図を引用しながら説明を行う。
図１は本発明の実施例における水栓装置１の外観図である。水栓装置１はキッチンなどのカウンタ１０（被取り付け部）に取り付けられ、図示していないシンク１２に対して噴霧吐水を行うように設置されている。
【００１５】
水栓装置１はカウンタ１０に載置される台座部材２と、台座部材２の中央に設けられた貫通穴２２に挿入されるスパウト部材４とから構成されている。スパウト部材４の先端には押しボタンスイッチ４２が設けられており、この押しボタンスイッチ４２を押すことによって、同じくスパウト部材に設けられた噴霧口４４（図４参照）より、水が噴霧される仕組みになっている。
【００１６】
図２に、水栓装置１を正面から見た図を示す。台座部材２はカウンタ１０に設けられた取り付け穴１４に挿入される取り付け管２４を有しており、その周囲にはねじ部２４２が形成されている。この取り付け管２４のねじ部２４２に対して、下方から固定部材２６が羅合されており、台座部材２と固定部材２６でカウンタ１０を挟み込むことによって、固定する構造となっている。
【００１７】
次に、図３に図２のＡ−Ａ断面図を示す。そして、図３におけるＢ付近の詳細断面図を図４に、Ｃ付近の詳細断面図を図５に夫々示す。
スパウト部材４には、噴霧口４４が設けられている。この内部には、噴霧ノズル４４０が設けられており、図示していないホースを介して、カウンター下に設けられた機能ｂと接続されている。この機能部からの送水によって、噴霧ノズル４４０から、噴霧口４４を介して、噴霧吐水が行われる仕組みとなっている。
先述したように、スパウト部材４の先端には押しボタンスイッチ４２が設けられており、その内部に、タクトスイッチ４２０が設けられている。使用者が押しボタンスイッチ４２を押圧して移動させることによって、間接的にタクトスイッチ４２０が押圧される。これにより、図示していない信号線を介して、機能部へ信号が伝達され、噴霧ノズル４４０から噴霧が行われる。
【００１８】
また、噴霧ノズル４４０から噴霧吐水が行われるタイミングで、この噴霧吐水へむかて光を照射するために、スパウト部材４の内部にはＬＥＤ６（光源）が設けられている。このＬＥＤ６は、スパウト部材４の表面に設けられたＬＥＤ窓６０（光透過窓）を介して、外部に光を照射するように構成されている。このとき、ＬＥＤ窓６０とＬＥＤ６との間には、外部に連通する排水流路６２が設けられている。これにより、噴霧ノズル４４０からの噴霧吐水が、被洗浄物と衝突して水はねが発生し、噴霧口４４を介して、スパウト内部に水が浸入した場合であっても、矢印で示したように、排水流路６２を通ってスパウト外へ排水することが出来る。
【００１９】
さらに、スパウト部材４の、ＬＥＤ窓６０よりも上流側には、水抜き穴６４が設けられている。噴霧ノズル４４０からの噴霧吐水が、被洗浄物と衝突して発生した水はねが、排水流路６２を介してスパウト内部に侵入した場合であっても、図４に矢印で示したように水抜き穴６４から排水することが出来るようになる。
【００２０】
噴霧口４４、ＬＥＤ窓６０、水抜き穴６４は、スパウト部材４内部で互いに連通している。従って、これまで説明したように、何れの穴から水が浸入した場合であっても、その他の穴からスパウト外部に向かって水を排出することが出来るように構成されているのである。そして、この空間よりも上流側に水が浸入し、スパウト部材４を介してカウンター下にまで漏水してしまうことを抑制するために、この空間の上流には浸水防止手段６６が設けられている。
【００２１】
台座部材２は、カウンタ１０の上面に載置されるフランジ部２９を備えている。そして、先述したように、取り付け管２４のねじ部２４２に対して、下方から固定部材２６が羅合されており、フランジ部２９の下面と固定部材２６でワッシャ２６２を介してカウンタ１０を挟み込むことによって、固定する構造となっている。
【００２２】
図５はＤ付近を下方からみた斜視図である。上述したフランジ部２９を含む台座部材２は、カバー部材８によって、その上方から覆われている。そして、台座部材２及びカバー部材８は何れもその中心部分に互いに連通する貫通穴２２、８２が構成されており、この貫通穴２２，８２にスパウト部材４が挿入されている。スパウト部材４は、その側面に横長の回転規制溝４６を備えている。そして、台座部材２の外側から取り付け管２４に設けられた挿入穴２４４を貫通して、回転規制溝４６に挿入される回転規制部材２８により、上方へ抜けないように固定されている。
【００２３】
回転規制溝４６は回転規制部材２８よりも長い横幅を有している。従って、回転規制部材２８が、回転規制溝４６の片方の端から、逆の端部までの範囲でスパウト部材４は回転することが出来るように保持される。このとき、回転規制溝４６の幅を長くすることでスパウト部材４の回動範囲を広く、逆に回転規制溝４６の幅を短くすることでスパウト部材４の回動範囲を狭く構成することが出来るようになる。
【００２４】
また、回転規制部材２８は、一対の係止爪２８２を備えており、この係止爪２８２の端から端までの高さＨａは挿入穴２４４の上下方向の高さＨｂより僅かに大きく形成されている。これにより、外部から挿入する際には係止爪２８２が互いに接近する側に撓んで挿入され、挿入穴２４４を通過後に基に戻ることによって、所謂スナップフィットで固定されるのである。
【００２５】
さらに、回転規制部材２８は、その外周方向側に斜面２８４を備えている。仮に、回転規制部材２８の挿入が甘く、所謂半ざしの状態であったとしても、その後に固定部材２６がねじ部２４２に対して下方から羅合されていくと、固定部材２６と斜面２８４が接触する状態となる。この状態でさらに、固定部材２６の羅合を進めると、斜面２８４によって上向きの力が内周方向への力へと変換され、回転規制部材２８が自動的に内周方向で挿入され、スナップフィットにより固定された状態へと導くことが出来るようになる。
【００２６】
また、スパウト部材４を管材により構成することによって、スパウト部材の肉厚を薄く形成することが出来るようになる。これによって、回転規制部材２８をスナップフィットによって固定させる場合でも、簡単に係合させることが出来るようになる。
【００２７】
次に、カバー部材８の固定方法について説明を行う。図７（ａ）に台座部材２の奢侈図、図７（ｂ）に台座部材２の上面図を夫々示す。台座部材２はその上端付近に、外縁の方向に沿って弾性変形部８４が複数形成されている。この弾性変形部８４は、両端が台座部材に対して支持され、その中心部分が径方向に弾性変形を行うように構成されている。また、その中心部分付近には、係止突起８４４を備えている。
【００２８】
図５に示すように、カバー部材８が台座部材２の上方から挿入され、弾性変形部８４が弾性変形することによって、カバー部材８の係止爪８６と、台座部材２の係止突起８４４が互いに係止することによって、カバー部材８が固定される。これにより、カバー部材８は上方へ脱落しないように固定されるのである。
【００２９】
また、このとき、台座部材２が備える回転方向位置決め手段８８と、カバー部材８が互いに接触することによって、カバー部材８と台座部材２の相対的な回転が規制されるように構成されている。このように構成することによって、カバー部材８が回転してしまい、係止爪８６と係止突起８４４の係止が外れ、カバー部材８が脱落してしまうことを抑制できるようになる。
【００３０】
このとき、弾性変形部８４の下方には、非弾性部材であるワッシャ９が設けられている。このワッシャ９が弾性変形部の下方向への変形を規制するための規制部材として機能することによって、カバー部材８を上方から挿入した際に、弾性変形部が下方向へ変形してしまい、破壊されてしまうことを抑制することができるようになる。また、弾性変形部の下方向への変形を規制するための規制部材としてワッシャを利用することで、本実施例のように径方向にそって複数の弾性変形部８４を設けた場合でも、単一の部材で全ての弾性変形部８４の変形を抑制することが出来るようになる。
【００３１】
また、このワッシャ９は弾性変形部８４とは異なり、赤色に着色されている。このようにすることで、組み立て工程において、ワッシャ９が挿入されているかどうかを一目で確認できるようになり、ワッシャ９の挿入忘れ、また其れに伴う弾性変形部８４の破壊を抑制することが出来るようになっている。
【００３２】
台座部材２、カバー部材９はそれぞれ、その内側にＯリング４８ａ、４８ｂを備えている。このＯリング４８ａ、４８ｂは、スパウト部材４との間に位置し、その弾性によって、スパウト部材４を保持するスパウト部材保持手段として機能する。さらに、スパウト部材４と、台座部材２、カバー部材９との間をそれぞれシールするシール部材として機能することによって、上方からかかった水が、カウンタ１０の内部に浸入することがないように構成されているのである。
【００３３】
以上、本発明の実施例について、図面を交えながら具体的に説明を行った。本発明はこの実施例に限られるものではなく、発明の趣旨を逸脱しない範囲において、適宜設計することができるものである。例えば、水栓装置の種類として、機能部を備えたものだけえはなく、手動でバルブを開閉するものなど様々な種類の水栓装置に適用が可能である。
【符号の説明】
【００３４】
１：水栓装置
１０：カウンタ（被取り付け部）
１２：シンク
１４：取り付け穴
２：台座部材
２２：貫通穴
２４：取り付け管
２４２：ねじ部
２６：固定部材
２６２：ワッシャ
２８：回転規制部材
２８２：係止爪
２８４：傾斜
２９：フランジ部
４：スパウト部材
４２：押しボタンスイッチ
４４：噴霧口
４４０：噴霧ノズル
４６：回転規制溝
６：ＬＥＤ
６０：光透過窓
６２：排水流路
６４：水抜き穴
６６：浸水防止手段
８：カバー部材
８２：貫通穴
８４：弾性変形部
８４４：係止突起
８６：係止爪
８８：回転方向位置決め手段
【図１】
2017193923.tif 000003
【図２】
2017193923.tif 000004
【図３】
2017193923.tif 000005
【図４】
2017193923.tif 000006
【図５】
2017193923.tif 000007
【図６】
2017193923.tif 000008
【図７】
2017193923.tif 000009